(57)【要約】【課題】  浴室を床基盤上にボルト脚を用いて固定する工法において、浴室から床基盤を通して階下へと伝搬する衝撃音を低減すると共に、浴室を床基盤に設置した後の横ずれを防止し、これによる騒音や気密性の劣化を防止する。【解決手段】  床基盤７に固定されており、固定穴４ｂが設けられている複数の固定板４、浴室床に取り付けられており、固定穴４ｂに挿通されているボルト脚架台１、ボルト脚架台１の頭部１ｃと固定板４との間に設けられているワッシャー５、ボルト脚架台１に挿通されているナット２、およびナット２と固定板４との間に介在する緩衝材３を設ける。【選択図】                図１
2006002483.tif 000002
【特許請求の範囲】
【請求項１】
床基盤上に浴室床を支持するための支持構造であって、
前記床基盤に固定されており、固定穴が設けられている固定板、前記浴室床に取り付けられており、前記固定穴に挿通されているボルト脚架台、前記ボルト脚架台の頭部と前記固定板との間に設けられているワッシャー、前記ボルト脚に挿通されているナット、および前記ナットと前記固定板との間に介在する緩衝材を備えていることを特徴とする、浴室床の支持構造。
【請求項２】
前記緩衝材が、前記ナットと接触する内側凸部と、前記内側凸部の周りに設けられている凹部と、前記凹部の外側に設けられている外側凸部とを備えていることを特徴とする、請求項１記載の支持構造。
【請求項３】
前記ボルト脚架台の頭部が前記床基盤に接触しない状態で保持されていることを特徴とする、請求項１または２記載の支持構造。
【請求項４】
前記固定穴内で前記ボルト脚架台と前記固定板との間に前記ワッシャーと前記緩衝材との少なくとも一方が介在することを特徴とする、請求項１〜３のいずれか一つの請求項に記載の支持構造。
【請求項５】
前記固定板のうち前記床基盤に接触する部分に貫通孔が形成されていることを特徴とする、請求項１〜４のいずれか一つの請求項に記載の支持構造。
【請求項６】
床基盤上に浴室床を支持するための施工方法であって、
固定穴が設けられている固定板を前記床基盤に固定し、前記浴室床への取り付け用のボルト脚架台を前記固定穴に挿通し、この際前記ボルト脚架台の頭部と前記固定板との間にワッシャーを設け、前記固定板上に緩衝材を設置し、この緩衝材上にナットを挿通することを特徴とする、浴室床の施工方法。
【請求項７】
前記緩衝材が、前記ナットと接触する内側凸部と、前記内側凸部の周りに設けられている凹部と、前記凹部の外側に設けられている外側凸部とを備えていることを特徴とする、請求項６記載の施工方法。
【請求項８】
前記固定穴内で前記ボルト脚架台と前記固定板との間に前記ワッシャーと前記緩衝材との少なくとも一方を介在させることを特徴とする、請求項６または７記載の施工方法。
【請求項９】
前記固定板のうち前記床基盤に接触する部分に貫通孔が形成されていることを特徴とする、請求項６〜８のいずれか一つの請求項に記載の施工方法。
【発明の詳細な説明】
【技術分野】
【０００１】
本発明は、コンクリートスラブ等の床基盤から、所定の高さに調整されて設けられる、二階以上の階に設ける浴室に関し、階下への防音機能を付与した建築物及びその施工方法に関するものである。
【背景技術】
【０００２】
浴室は、ユニットバスと呼ばれるものが、一般的に使用されている。ユニットバスは、一般的にFRP（強化プラスチック）製であり、カプセルのような小部屋をつくり、中に浴槽，シャワー，蛇口などが組み込まれたものである。浴室が他の部屋から隔離された状態になるため、湿気が他の部屋に伝わりにくいという長所があり、浴室の掃除が楽になるという利点を有している。
【０００３】
ユニットバスの浴室を施工する際には、必ずしも平滑でないコンクリートスラブ等の床基盤から、浴室床を所定の高さに調整するためのアジャスターが必要である。このため、図１（ａ）に示すように、ボルト脚架台１の頭部（ネジ部）１ｃが浴室の防水床パン或いは浴槽床の下面に組み込まれたナットに装着できるような構造を有しており、コンクリートスラブ等の床基盤７とボルト状頭部１ｃとをエポキシ系等の接着剤６を用いて固定している。
また、アジャスターの材質としては、浴室本体の重量及び浴槽に張った水の重量に耐えるため、一般的に金属製のものが使用されている。
【０００４】
従来よりコンクリート建造物の集合住宅において、階下への防音の必要性が高まり、床材に関しては、軽量床衝撃音を改善した商品が、一般的に採用されるようになった。住環境においては、このように上階から発生する騒音が劇的に改善されるに伴って、浴室についても防音機能を付与したものが必要となってきた。
【０００５】
しかしながら、浴室の場合には、コンクリートスラブ等の床基盤７とアジャスターとしてのボルト脚架台１とをエポキシ系等の接着剤６で固定している為、非常に軽いもの、例えば洗面器，シャンプー等の容器等が浴室内に落下したり、浴室にある椅子の引きずる行為により、固体伝搬音としてボルト脚架台を通して、コンクリートスラブ等の床基盤７に直接伝わり、階下への騒音となっていた。
また、昨今のバリアフリーに対応するため、給配水管等が浴室とコンクリートスラブ等の床基盤７の間に設置されることにより、この部分におけるコンクリートスラブ等の床基盤７の厚みが薄くなることにより、床衝撃音を更に悪化させていた。
【０００６】
一般的に居室等に使用される場合は、基材としてパーチクルボードに支持脚（ボルト脚）が装着され、支持脚下部にゴム弾性体を差しこんだ状態となっており、コンクリートスラブ等の床基盤に設置すなわち、置き敷きとなっている。更に、パーチクルボードの上面は、捨て張り合板若しくは仕上げ床材が施工されており、床面全体が一体化した状態となる。
【０００７】
これに伴い、浴室防音技術としては、特許文献１には、浴室床の下に支持脚を複数設け、各支持脚の先端に防振ゴム台を取り付けることが記載されている。これによって、支持脚および床基盤を通って階下に放出される衝撃音を改善することを試みている。これは、上述した、居室用の防音二重床と同様の思想を浴室に適用したものである。
【特許文献１】特開平８−１２０９５６号公報
【発明の開示】
【発明が解決しようとする課題】
【０００８】
居室は浴室と比較して面積がはるかに広く、また重量物も多く、居室の自重が著しく大きい。このため、支持脚の末端に防振ゴムを固定する工法でも、いったん居室を設置すると居室の横ずれが生じず、横ずれによる問題点は考えにくい。
【０００９】
これに対して、浴室、特にユニットバスは、強化プラスチックのような比較的に軽量の材料からなっており、面積も小さいために、自重が居室に比べて著しく小さい。このため床基盤に対して地震等の影響で横すべりしやすい状態であった。浴室床は、浴室の防水床パンや浴槽床であってよい。
例えば図１（ｂ）に示す模式図を参照して説明すると、床基盤７上に浴室床２１を支持脚１によって設置する。支持脚１の末端には防振ゴム２２が取り付けられている。浴室床２１の末端は壁面２３近くまで設けられている。
【００１０】
ここで、浴室の重量は居室に比べて小さい上に、水の比重はＦＲＰの比重よりも大きいので、浴槽に水を入れない状態の浴室の重量と、浴槽に水を入れた後の浴室の重量とは著しく異なる。また浴槽は浴室内の特定の壁面２３の近くに設置されているのが普通である。
【００１１】
この結果、浴槽に水を入れない状態と、浴槽に水を入れた状態とでは、浴室全体の重心が著しく異なっている。このため、支持脚の末端に防振ゴムを固定して床基盤上に設置する工法であると、浴室を設置した後に、浴室の重心のずれや地震等の振動の影響によって、浴室が床基盤７に対して矢印Ｂのように横ずれしやすいことが分かった。浴室が床基盤に対して横ずれすると、浴室と壁面との間に隙間が生じて浴室の気密性が悪化する。また、浴室と壁面とのこすれ音等の室内騒音が発生し、致命的な欠陥が生じる。
【００１２】
したがって、支持脚１の末端に防振ゴム２２を固定して床基盤７上に設置する工法の場合には、コンクリートスラブ等の床基盤７とそれに接する防振ゴム２２とを接着剤等で接着することによって、床基盤７に対して防振ゴム２２および支持脚１を固定し、これによって浴室が床基盤７に対して横ずれしないようにしなければならない。しかし、防振ゴム２２を構成する弾性体に接着剤が付着すると、防振ゴム２２が硬度の高い接着剤で強く拘束される結果、防振ゴムの所定の粘弾性が損なわれ、防音機能が低下し、不安定になることが分かった。
【００１３】
本発明の課題は、浴室を床基盤上にボルト脚を用いて固定する工法において、浴室から床基盤を通して階下へと伝搬する衝撃音を低減すると共に、浴室を床基盤に設置した後の横ずれを防止し、これによる騒音や気密性の劣化を防止することである。
【課題を解決するための手段】
【００１４】
本発明は、床基盤上に浴室床を支持するための支持構造であって、床基盤に固定されており、固定穴が設けられている固定板、浴室床に取り付けられており、固定穴に挿通されている複数のボルト脚架台、ボルト脚架台の頭部と固定板との間に設けられているワッシャー、ボルト脚架台に挿通されているナット、およびナットと固定板との間に介在する緩衝材を備えていることを特徴とする。
【発明の効果】
【００１５】
本発明によれば、床基盤に固定板を設け、固定板の固定穴内にボルト脚を挿通して固定している。固定板は床基盤に対して接着剤等の任意の方法で強固に固定可能であり、またボルト脚も床基盤にワッシャー、緩衝材およびナットによって固定されるので、ボルト脚、更にはその上に浴室床が床基盤に対して設置後に横ずれすることはない。
【００１６】
これと共に、浴室床が緩衝材を介して固定板に支持されていることから、浴室床から固定板への衝撃の伝搬は抑制される。また、固定板とボルト脚頭部との間がワッシャーによって緩衝されている。これによって、後述するように、安定し、優れた防音性能を提供することができる。
【００１７】
更には、施工時においてボルト脚を具備した既存の浴室に装着することが可能であり、施工が容易である点で利用価値が非常に高いものである。また、将来的に発生するリフォームに際しても、各々の部品が分離可能であるため、リユース若しくはリサイクル可能なものである。
【発明を実施するための最良の形態】
【００１８】
図面を参照しつつ、本発明の好適な実施例について説明する。
図２（ａ）は、本発明にかかる一例の構造の断面図である。図２（ａ）に示すように、本発明の一例の構造では、ボルト脚架台１が、図示しない浴室の防水床パン或いは浴槽床の下面に取り付けられている。この架台１は、ナット２が装着され、従来の施工方法と同様に、コンクリートスラブ等の床基盤７の不陸を調整することが可能であり、また浴室床を所定の高さに施工することができるものである。
【００１９】
更に具体的に述べると、本発明例の浴室防音構造は、ボルト脚架台１のネジ頭部１ｃより、ワッシャー５，固定板４，緩衝材３，ナット２を順次差し込んだ構造となっている。即ち、固定板４は床基盤７上に接着剤６等の固定手段によって所定箇所に固定されている。固定板４には固定穴４ｂが形成されている。
【００２０】
固定穴４ｂにボルト脚架台１の頭部１ｃが差し込まれており、頭部１ｃは固定板４の内側に収容され、床基盤７から浮いている。ボルト脚架台１の軸が固定穴４ａを貫通しており、頭部１ｃと固定板４との間にワッシャー５が挟まれている。
【００２１】
また、固定板４の上側には緩衝材３が設置されている。緩衝材３は、例えば図３（ａ）に示すように、内側凸部３ｂ、外側凸部３ａ、凸部３ａと３ｂとの間にあるリング状の凹部３ｄを備えている。また、凸部３ａ、３ｂの反対側にはリング状突起３ｃが形成されている。図３（ａ）には取り付け前の緩衝材３を示す。この緩衝材のリング状突起３ｃを、ボルト脚架台１の軸と固定穴４ｂとの隙間に挿入することによって、固定板４とボルト脚架台１とが直接接触しないようにする。そして凸部３ｂ上にナット２を載せ、浴室の自重を掛ける。
【００２２】
この状態でナットを締めないで固定を終了することもできるが、後述するように更にナットを締めつけて、ナットを下方向へと動かし、固定板４の締めつけを強くすることもできる。この時点では、例えば図３（ｂ）に示すように、ナット２の先端面２ａによって内側凸部３ｂを下方へと矢印Ｃのように押圧し、ナット２の上側２ｂが外側凸部３ａの上面３ｅと略同一高さＡに位置するようにする。
【００２３】
上述の実施例によれば、床基盤７に固定板４を設け、固定板４の固定穴４ｂ内にボルト脚架台１を挿通して固定している。固定部４は床基盤７に対して強固に固定されており、ボルト脚架台１も床基盤７にワッシャー５、緩衝材３およびナット２によって固定されるので、ボルト脚架台１、更にはその上の浴室床が床基盤７に対して設置後に横ずれすることはない。
【００２４】
これと共に、浴室床が緩衝材３を介して固定板４に支持されていることから、浴室床から固定板４への衝撃の伝搬は抑制される。また、固定板４とボルト脚架台頭部１ｃとの間がワッシャー５によって緩衝されている。これによって、安定し、優れた防音性能を提供することができる。更には、既存のボルト脚架台１に容易に取り付けることが可能であり、また、分離することが出来るようにしているため、利用価値が非常に高いものである。
【００２５】
ナット２は、ボルト脚架台１と緩衝材３，固定板４，ワッシャー５を機械的に固定するものとして使われる。また、緩衝材３への加圧の度合いを調整するために使用される。ナット２の材質については、鉄やステンレス等の金属製であることが好適である。ナイロン，ABS，ポリエステル等の樹脂製であっても良いが、ユニットバス本体の重量及び浴槽に張った水の重量を支えることの可能な強度が必要である。
【００２６】
更には、本固定の作業性を良好とさせるには、ボルト脚架台１とナット２の抵抗を少なくしておくことが好ましい。しかし、ねじ山とネジ溝との間に隙間を生じ、荷重がかかるとその部位から音が発生するため、このような場合については、固定後にボルト脚架台のナット接合面上部に低粘度の接着剤、一般的には湿気硬化型ウレタン等を塗布しておけば解消できる。
【００２７】
次に、緩衝材３の形状について説明する。
緩衝材３は、凹凸形状とすることが好ましい。この理由は、ナット２による締め付け具合を安定させるとともに、防音機能を安定にすることが出来るためである。緩衝材３に凹凸が設けられていない場合には、緩衝材３自体に弾性があるため、ナット２による締め付けの調整が困難であり、緩衝材３を極度に圧縮した状態で固定することが必要になる。この場合には、緩衝材３の弾性が損なわれ、防音機能が低下し、あるいは防音機能の安定性が低下することがある。緩衝材３に凹凸を設けることによって、緩衝材３を適度な圧縮状態で固定することができる。
【００２８】
好適な実施形態においては、緩衝材３が、ナットと接触する内側凸部３ｂと、凸部３ｂの周りに設けられている凹部３ｄと、凹部３ｄの外側に設けられている外側凸部３ａを備えている。即ち、係る緩衝材３が、図２〜図４に示すが如く、少なくとも内側凸部３ｂと外側凸部３ａの形状を有している。
【００２９】
図３（ａ）に示すように、内側凹部３ｂを外側凹部３ａよりも低くすることができる。この場合には、図３（ｂ）に示すように、ナット２による締め付け固定の際にナット２による締めつけ量の調整を容易にできる。即ち、緩衝材３を圧縮し過ぎた場合には、内側凸部３ｂ上に固定されたナット２上面２ｂが、外側凸部３ａの上面３ｅよりも低くなる。この場合には緩衝材３の過圧縮によって、緩衝材３の硬度が高くなり、防音性能が不安定になる。一方、ナット上面２ｂが外側凸部３ａの上面３ｅよりも高い場合には、ナット２による締めつけが不十分であることが一目で分かる。このため、ナット２上面２ｂがＡで示すように外側凸部３ａの上面３ｅと略同じ高さにくるように，ナット２による締めつけ量を調整する。
【００３０】
一方、図４（ａ）に示すように、内側凹部３ｂを外側凹部３ａよりも高くすることができる。この場合には、図４（ｂ）に示すようにナット２による締めつけを行う際に、緩衝材３を圧縮し過ぎた場合には、内側凸部３ｂ上に固定されたナット２下面２ａが、外側凸部３ａの上面３ｅよりも低くなる。この場合には緩衝材３の過圧縮によって、緩衝材３の硬度が高くなり、防音性能が不安定になる。一方、ナット下面２ａが外側凸部３ａの上面３ｅよりも高い場合には、ナット２による締めつけが不十分であることが一目で分かる。このため、ナット２下面２ａがＡで示すように外側凸部３ａの上面３ｅと略同じ高さにくるよにう，ナット２による締めつけ量を調整する。
【００３１】
更には、ナット２の締め付けが緩い場合には、固定板４の固定が甘くなり、コンクリートスラブ等の床基盤７に大きな不陸がある場合には、ボルト脚架台１の下部にあるボルト頭部１ｃと固定板４とが接触する可能性があり、結果としてこすれ音を生じる。従って、ナット２により、緩衝材３を若干圧縮した状態で固定することが好適である。
【００３２】
この圧縮割合は限定されない。しかし、緩衝材３を自重で圧縮した状態を起点として５０％以下圧縮することが好ましく、２０％以下圧縮することが更に好ましい。
【００３３】
次に、緩衝材３の材質について説明する。
緩衝材３は、加硫ゴム弾性体により形成する。これは、熱可塑性エラストマーより形成される弾性体にはない、圧縮永久歪が良好である点と、熱的に安定した素材である点で有効である。
【００３４】
ここで言う加硫ゴム弾性体とは、天然ゴム，スチレンブタジエンゴム（SBR），クロロプレンゴム（CR），エチレンプロピレンゴム（EPDM），ブタジエンゴム（BR）等のポリマーを一種又は二種以上併用したものに加硫用配合剤及び添加剤を加え、加温反応して得られるものである。
【００３５】
この加硫用配合剤としては、おもに硫黄を用いるが、より効果的に加硫を完結させるため、加硫促進剤を一種又は二種以上併用し、酸化亜鉛，ステアリン酸を添加することが不可欠である。更には、加工操作性を確保する必要がある場合は、早期の加硫を防止するスコーチリターダーも使用される。一方、硫黄の他に各種パーオキサイドを用いる場合も挙げられる。
また、添加剤としては、可塑剤，充填剤，瀝青物，粘着付与樹脂，老化防止剤，防カビ剤，難燃剤，触媒，界面活性剤，カップリング剤等が挙げられる。
可塑剤は、粘度調整，作業性調整，加硫ゴム弾性体の物質調整，難燃性の付与を目的として配合される。
【００３６】
可塑剤の具体例として、ナフテン系オイル，パラフィン系オイル，アロマティック系オイル，ひまし油，綿実油，パインオイル，トール油，フタル酸誘導体，イソフタル酸誘導体，アジピン酸誘導体，マレイン酸誘導体、液状ゴムの官能基を含まないもの等があり、単独又は併用して用いる事ができる。難燃性を要する場合は、ハロゲン化合物，リン化合物系可塑剤を単独又は併用して使用できる。
瀝青物としては、ストレートアスファルト，ブロンアスファルト，タール等があり、所望の加硫ゴム弾性体を得るために予め粘着付与樹脂や可塑剤等で改質して使用することも出来る。
【００３７】
粘着付与樹脂としては、天然樹脂，ロジン，変性ロジン，ロジン及び変性ロジンの誘導体，ポリテルペン系樹脂，テルペン変性体，脂肪族系炭化水素樹脂，シクロペンタジエン系樹脂，芳香族系石油樹脂，フェノール樹脂，クマロン−インデン樹脂等を単独又は併用して用いることが出来る。
充填剤は、補強，振動減衰性，遮音性，難燃性の改善に効果があり，配合コストダウンを図る目的で使用するものであり、ゴム及び塗料関連で一般に使用されるものが使用出来る。
その具体例としては、マイカ，グラファイト，ヒル石，タルク，クレー等の鱗片状無機粉体，フェライト，金属粉，硫酸バリウム，リトポン等の高比重充填剤，カーボン，微粉シリカ，炭酸カルシウム，炭酸マグネシウム，水酸化アルミニウム等の汎用充填剤を単独又は併用して使用出来る。
その他の添加剤としては、老化防止剤，触媒，顔料，界面活性剤，カップリング剤，防カビ剤等が挙げられるが、これらは必要に応じ添加することが出来る
【００３８】
また、好適な実施形態においては、ボルト脚架台１と固定板４との間にワッシャーと緩衝材との少なくとも一方が介在する。例えば、図２（ａ）に示す例では、固定穴４ａ内に緩衝材３のリング状突起３ｃが挿入されており、リング状突起３ｃによって、固定板４とボルト脚架台１の軸とが直接接触しないようになっている。固定板４とボルト脚架台１が直接接触するような場合は、非常に高いこすれ音が発生する。
【００３９】
あるいは、ワッシャ−５に凸部を設けるようにしても良い。例えば、図２（ｂ）に示す例では、固定穴４ａ内に、ワッシャー５Ａのリング状突起５ａが挿入されており、リング状突起５ａによって、固定板４とボルト脚架台１の軸とが直接接触しないようになっている。
【００４０】
次に、固定板４について説明する。
固定板４は、コンクリートスラブ等の床基盤７に接着剤６を用いて固定するものである。
固定板４の材質としては、ナット２と同様に鉄やステンレス等の金属製であることが好適である。ナイロン，ABS，ポリエステル等の樹脂製であっても良いが、浴室本体の重量及び浴槽に張った水の重量を支えることの可能な強度が必要である。
【００４１】
固定板４の形状としては、例えば図５及び図６のようなものであれば良い。好適な実施形態においては、固定板４のコンクリートスラブ等の床基盤７と接する部分においては、接着剤６による確実な固定とするために複数の貫通孔４ａを形成してある。これによって、この貫通孔４ａの上に接着剤６を塗布し、床基盤７と一体化させるものである。
【００４２】
貫通孔４ａがない場合は、固定板４の床基盤７と接する面に接着剤６を塗布するか、若しくは位置決めされた床基盤７上に接着剤６を塗布する必要がある。この場合には、浴室を所定の位置に置く際、浴室の上げ下ろし或いは浴室位置の微調整のために、浴室を引き摺る行為が行われる。この際に接着剤６がかきとられ、浴室が所定の位置となったときには、固定板４の床基盤７と接する部分に接着剤がほとんどなくなることがある。また、床基盤７の不陸により、まったく固定できない部分が発生する。
【００４３】
したがって、防水床パン或いは浴槽の上に荷重がかかった際に、防水床パンに部分的なひずみや傾斜が発生するばかりか、固定板４と床基盤が接触し、固体伝搬音として階下へ伝わり、防音機能を低下させるといった問題が生じる。貫通孔４ａ内にも接着剤を塗布して固定板４を床基盤７上に固定することにより、このような問題を解決できる。
【００４４】
更に、接着剤６は、それ自体に空気を含んでいたり、反応時に炭酸ガスが発生することにより、貫通孔４ａがない場合には、発泡した状態のままで硬化するために接着性不良の原因となる。貫通孔４ａがある場合は、空気や炭酸ガス等がその穴を通してスムーズに外部へ流出し、空気や炭酸ガス等の溜まりの発生を防ぐことができ、接着性はより良好なものとなる。
【００４５】
接着剤６としては、所定の粘度に調整された２液性反応型エポキシ、或いは湿気硬化型ウレタンが挙げられる。
【００４６】
また、固定板４は、防音機能を低下させないため、防水床パン或いは浴槽に荷重が加わった場合においても、ボルト脚架台１の頭部が、床基盤７に接しないような構造としなければならず、接着剤６の流入の可能性も否定できない為、十分な空間の確保が必要である。したがって、緩衝材３以上の厚みの空間があれば、好適である。固定板４の厚みを最大限に薄くするためには、所定の防音機能を有しつつ、緩衝材３の厚みを薄くするか、緩衝材３の圧縮特性を十分に確認することにより改善できる。
【００４７】
次に、ワッシャ−５について説明する。
ワッシャー５は、ボルト脚架台１と固定板４が直接接触しないように用いられるものである。ナット２の締め付けが緩い場合、固定板４の固定が甘くなり、コンクリートスラブ等の床基盤に非常に小さな不陸であっても、ボルト脚架台１の下部にあるボルトと固定板４が接触するために、結果としてこすれ音を生じる。
【００４８】
ワッシャー５の材質については、汎用のポリエチレンやポリプロピレン等のプラスチック製若しくはゴム製のものを用いる。ワッシャーの形状は、ボルト脚架台１に差し込み可能な汎用の形状であれば良い。緩衝材３の下面凸部３ｃを有していない場合には、図２（ｂ）に示すよう、ワッシャー５上面に凸部を設けることが好ましく、これによってボルト脚架台１と固定板４が直接接することとならないような構造とする。
【実施例】
【００４９】
表１に示す各実験例の性能比較実験を行った。
最初に実験方法について説明する。
図７は、実験に用いた装置を示す図である。加振室８と受音室17とは床スラブ１２により仕切り、この床スラブ１２上に実験に用いる浴室の試験体１１を敷設する。試験体１１の上部には試験体１１を加振するためのタッピングマシン９とバングマシン１０とを取り付ける。受音室内には、受音用のマイク１３を配設し、このマイク１３に精密騒音計１４、周波数分析器１５,及びレベルレコーダー１６を接続する。
【００５０】
軽量床衝撃音の測定に際しては、タッピングマシン９を用い、重量床衝撃音の測定に際しては、バングマシン１０を用いる。しかし、図８に示すように加振点１８に関しては、浴槽を除いた防水床パンの中央部1点のみとし、受音室１７内の任意5点を測定し、JIS A-1419に示す方法で遮音等級を求めた。尚、防水床パンが非常に小さい面積であるため、加振点１８は、1点のみとした。
【００５１】
実験に供した各試料は、次に示す方法により作製した。
実験例１、２、３、５の各試料は、図２に示す構造を有している。ここで、実験例１においては、緩衝材３をナット２にて固定する際、試験体１１の自重のみによって圧縮した（圧縮率を0%とした）。試験例２では圧縮率を10%とした。実験例３では、実験例１に加えて、吸音材であるロックウールを、防水床パンと床基盤との隙間に敷設したものである。
【００５２】
実験例４は現行品であり、図１（ａ）に示す構造としたものである。また、実験例５では圧縮率を２０％とした。
【００５３】
【表１】
2006002483.tif 000003
【００５４】
次に、この実験例の浴室防音構造の実験結果について説明する。
本発明に係る実験例１、２、３においては、現行品である実験例４に比べて４ランク(20dB)〜５ランク(25dB)も向上し、軽量床衝撃音等級は、いずれもL-55をクリアーしている。また、重量床衝撃音の場合は、何れもRC150mmスラブの特性であるL-55を保持し、軽量床衝撃音を改善した為の重量床衝撃音の阻害はみられていない。
【００５５】
実験例５は本発明に対応するものであるが、ナット２による緩衝材３の固定に際し、緩衝材３を極度に圧縮、すなわち20％に圧縮させたもので、実際の施工ではありえないものであるが、凹凸形状を具備していないものは、固定の度合いが分かりにくいためにこの様な状況になるものと想定し、防音性能を確認したものである。
【００５６】
本試験に於いて、緩衝材３の形状及びゴム弾性体の硬度を一定としたため、圧縮率が20%以上となると、実験例１、２に比べて防音性能の低下が認められたが、形状の変更及び硬度の増減により最適な圧縮率の確認が必要である。
【００５７】
以上詳述したように、本発明によれば、安定し、優れた防音性能を有するとともに、施工時においてボルト脚架台を具備した既存の浴室に装着することが可能であり、施工が容易である点で利用価値が非常に高いものである。また、将来的に発生するリフォームに際しても、各々の部品が分離可能であるため、リユース若しくはリサイクル可能なものである。
【図面の簡単な説明】
【００５８】
【図１】（ａ）は、従来品のボルト脚架台の断面構造図であり、（ｂ）は、図１（ａ）の架台を使用した場合の問題点を説明するための模式図である。
【図２】（ａ）、（ｂ）は、それぞれ、本発明の実施例に係る各支持構造を示す断面図である。
【図３】（ａ）は、取り付け前の緩衝材３を示す断面図であり、（ｂ）は、（ａ）の緩衝材３をナットによって締めつけた状態を示す断面図である。
【図４】（ａ）は、取り付け前の緩衝材３Ｂを示す断面図であり、（ｂ）は、（ａ）の緩衝材３Ｂをナットによって締めつけた状態を示す断面図である。
【図５】固定板４の平面形態の一例を示す図である。
【図６】固定板４の平面形態の一例を示す図である。
【図７】本発明の実施例及び比較例に用いた床衝撃音測定の概略を示す線図である。
【図８】本発明の実施例及び比較例に用いた試験体の概略図及び加振位置を示す図である。
【符号の説明】
【００５９】
１：ボルト脚架台          ２：ナット          ３、３Ａ、３Ｂ：緩衝材          ３ａ：緩衝材上面の外側凸部          ３ｂ：緩衝材上面の内側凸部          ３ｃ：緩衝材下面の凸部          ３ｄ  凹部          ４：固定版          ４ａ：固定板の貫通孔          ４ｂ：固定板の固定穴          ５、５Ａ：ワッシャー          ６：接着剤          ７：床基盤          ８：加振室          ９：タッピングマシン          １０：バングマシン          １１：試験体          １２：床スラブ          １３：マイク          １４：精密騒音計          １５：周波数分析器          １６：レベルレコーダー          １７：受音室          １８：加振点
【図１】
2006002483.tif 000004
【図２】
2006002483.tif 000005
【図３】
2006002483.tif 000006
【図４】
2006002483.tif 000007
【図５】
2006002483.tif 000008
【図６】
2006002483.tif 000009
【図７】
2006002483.tif 000010
【図８】
2006002483.tif 000011